(57)【要約】【課題】  映像の明るさ変化に応じてスーパーインポーズされた情報を見易くする。【解決手段】  カメラ１により撮像された映像をモニタ７−１〜７−ｍに表示させて監視を行うカメラ監視システムにおいて、前記カメラ１により撮像して得られた映像信号に文字情報を合成する文字合成手段３１と、前記文字情報を発生する文字情報発生装置４と、時刻情報に基づき前記文字発生装置４で発生させる文字の色を制御する文字色制御手段３２とを具備する。【選択図】  図１
2006157145.tif 000002
【特許請求の範囲】
【請求項１】
カメラにより撮像された映像をモニタに表示させて監視を行うカメラ監視システムにおいて、
前記カメラにより撮像して得られた映像信号に文字情報を合成する文字合成手段と、
前記文字情報を発生する文字情報発生手段と、
時刻情報に基づき前記文字情報発生手段で発生させる文字の色を制御する文字色制御手段と
を具備することを特徴とするカメラ監視システム。
【請求項２】
カメラが複数台備えられ、カメラ毎に文字色を変更する時刻情報が設定されていることを特徴とする請求項１に記載のカメラ監視システム。
【請求項３】
文字色を変更する時刻情報が暦情報に応じて設定されていることを特徴とする請求項１又は請求項２に記載のカメラ監視システム。
【発明の詳細な説明】
【技術分野】
【０００１】
この発明はカメラにより撮像された映像をモニタに表示させて監視を行うカメラ監視システムに関するものであり、特に複数のカメラが用いられているシステムに関する。
【背景技術】
【０００２】
従来、複数のカメラによる映像を１又は複数のモニタに表示して監視する場合には、各映像にカメラ名称等のカメラ又は撮像対象を識別する情報をスーパーインポーズして監視を行っている。
【０００３】
上記のシステムでは、通常、スーパーインポーズするカメラ名称等の情報は固定色であるのに対し、モニタに写し出される映像は昼と夜とではその明るさが大きく異なり、昼間の監視映像にスーパーインポーズされたカメラ名称等が読める場合にあっても、夜間ではカメラ名称等が読めなくなる不具合があった。
【０００４】
映像に対しスーパーインポーズする文字の色を制御するものとしては、例えば特許文献１に記載されている発明が知られている。
【特許文献１】特開平５−２５７４３９号公報
【発明の開示】
【発明が解決しようとする課題】
【０００５】
本発明が解決しようとする課題は、日中、夜間でもカメラ名称等の情報を確認することを可能とするカメラ監視システムを提供することである。
【課題を解決するための手段】
【０００６】
本発明に係るカメラ監視システムは、カメラにより撮像された映像をモニタに表示させて監視を行うカメラ監視システムにおいて、前記カメラにより撮像して得られた映像信号に文字情報を合成する文字合成手段と、前記文字情報を発生する文字情報発生手段と、時刻情報に基づき前記文字情報発生手段で発生させる文字の色を制御する文字色制御手段とを具備することを特徴とする。
【０００７】
本発明に係るカメラ監視システムは、カメラが複数台備えられ、カメラ毎に文字色を変更する時刻情報が設定されていることを特徴とする。
【０００８】
本発明に係るカメラ監視システムは、文字色を変更する時刻情報が暦情報に応じて設定されていることを特徴とする。
【発明の効果】
【０００９】
本発明に係るカメラ監視システムは、カメラにより撮像して得られた映像信号に文字情報を合成する場合に、時刻情報に基づき文字情報発生手段で発生させる文字の色を制御するので、昼と夜の場合などに映像の明るさに応じて文字色が変更され、合成された情報を確認することが可能となる。
【００１０】
また、カメラが複数台備えられ、カメラ毎に文字色を変更する時刻情報が設定されているので、カメラ毎に映像の明るさに応じて文字色が変更され、合成された情報を確認することが可能となる。更に、文字色を変更する時刻情報が暦情報に応じて設定されているので、季節の変化に対応して文字色が変更され、合成された情報を確認することが可能となる。
【発明を実施するための最良の形態】
【００１１】
本発明では、昼と夜の場合などに映像の明るさ変化に拘りなく、合成された情報を確認可能とするという目的を、時刻情報に基づき文字情報発生手段で発生させる文字の色を制御することにより達成した。
【実施例１】
【００１２】
図１に本発明に係るカメラ監視システムの実施例構成を示す。カメラ１が監視対象の撮像位置に配置され、カメラ１の旋回やズームを制御するカメラ制御装置２が接続されている。カメラ１により撮像された映像信号は上記カメラ制御装置２を介して監視室等に設けられた制御装置３へ送られる。
【００１３】
制御装置３には、文字情報を発生する文字情報発生手段を構成する文字発生装置４と、時刻情報を制御装置３へ送出する例えば電波時計装置５が接続されている。
【００１４】
制御装置３には、映像信号に文字情報をスーパーインポーズ(合成)する文字合成手段３１と、時刻情報に基づき文字発生装置４で発生させる文字の色を制御する文字色制御手段３２とが備えられている。
【００１５】
制御装置３から出力される文字情報がスーパーインポーズされた映像信号は、映像切換装置６を介してモニタ７−１〜７−ｍの例えば１台へ送られ、モニタ７−１〜７−ｍにおける或る１台においてカメラ１により撮像した映像が、スーパーインポーズされた文字と共に表示される。
【００１６】
上記のカメラ１、カメラ制御装置２、制御装置３、文字発生装置４及び電波時計装置５から構成されるサブシステム１０は、カメラの台数に応じて１０−１〜１０−ｎと複数設けられる。
【００１７】
上記における制御装置３の詳細なる構成を説明する。文字発生装置４は、例えばＲＯＭにより構成され、図２に示されているように、２種類の文字色によるカメラを識別する「カメラ１」という文字情報がアドレス＃１、＃２に記憶されている。また、制御装置３には、時刻情報に対応して選択する文字色の文字情報を特定する情報として、上記文字発生装置４におけるアドレス＃１、＃２が記憶されたテーブル３５が設けられている。ここでは、テーブル３５には図３に示されるように、時刻情報が７：００：００〜１６：５９：５９に対応してアドレス＃１が記憶されており、時刻情報が１７：００：００〜６：５９：５９に対応してアドレス＃２が記憶されている。
【００１８】
そして、制御装置３は、図４に示されるフローチャートに対応して動作する。以下に動作を説明する。まず、制御装置３は電波時計装置５から時刻情報を取り込む（Ｓ１）。次に、制御装置３は、テーブル３５のデータと、上記時刻情報とを比較し、発生させる文字情報を特定する（Ｓ２）。つまり、アドレス＃１、＃２のいずれかを得る。
【００１９】
次に、制御装置３は、特定した文字情報を文字発生装置４において発生させる（Ｓ３）。つまり、アドレス＃１、＃２のいずれかを用いて文字発生装置４をアクセスし、アドレス＃１、＃２に記憶されている文字情報の一方を取り出す。
【００２０】
更に、制御装置３は、発生した文字情報を映像信号として所定のタイミングでカメラ１側から送られてくる映像信号にスーパーインポーズする（Ｓ４）。以上のようにして文字情報がスーパーインポーズされたカメラ１により得られた映像が、例えば、モニタ７−１の画面に図５に示される如く表示される。この図５において、図５（ａ）は、昼間に撮像された映像を示し、「カメラ１」という文字情報は、黒色にて表示される。一方、図５（ｂ）は、夜間に撮像された映像を示し、「カメラ１」という文字情報は、白色にて表示される。
【００２１】
なお、各サブシステム１０−１〜１０−ｎにおいてテーブル３５に記憶された時刻情報、更には、文字発生装置４に記憶された文字情報の種類と色は、全て同一でも良いが、撮像地点の環境に応じて適宜変更されて独自な情報が記憶されていると好適である。
【００２２】
時刻情報が記憶されたテーブル３５の内容に代えて、図６に示されるように、文字色を変更する時刻情報が暦情報に応じて設定されたものを用いることができる。つまり、暦情報で或る月（日まで規定しても良い。）によって、昼間、夜間の時間帯が変化することに応じてデータが設定されている。係る図６に示されていルテーブル３５Ａを用いることにより、季節の変化に対応して時刻情報が異なり、これにより適切に文字色が変更され、スーパーインポーズされた情報を確認することが可能となる。
【００２３】
また、各サブシステム１０−１〜１０−ｎにおいて、制御装置３、文字発生装置４及び電波時計装置５を具備するようにしたが、図７に示されるように監視室に一台の制御装置３Ａ、文字発生装置４Ａ及び電波時計装置５を設け、各サブシステム１０Ａ−１〜１０Ａ−ｎから映像信号を制御装置３Ａへ送出する構成を採用することも可能である。
【００２４】
文字情報発生手段を構成する文字発生装置４Ａは、各サブシステム１０Ａ−１〜１０Ａ−ｎに対応したカメラを特定する文字情報（カメラ番号等）を、文字色を変えて発生するように構成されている。この一台の制御装置３Ａにおいては、電波時計装置５を参照して時刻情報を取り出し、テーブル３５、３５Ａに対応する各サブシステム１０Ａ−１〜１０Ａ−ｎ毎の文字色を時刻情報に対応して特定するテーブル（図１のサブシステム１０−１〜１０−ｎ毎のテーブル３５、３５Ａ内容を集合したテーブル）３５Ｂから求め、文字発生装置４Ａによりカメラを特定する文字情報（カメラ番号等）を発生させる（文字色制御手段３１Ａ）。
【００２５】
上記で発生させたカメラを特定する文字情報（各サブシステム１０Ａ−１〜１０Ａ−ｎに対応するカメラ番号等）を対応するサブシステム１０Ａ−１〜１０Ａ−ｎから送られた映像信号についてスーパーインポーズし、映像切換装置６を介してモニタ７−１〜７−ｍへ送出する（文字合成手段３２Ａ）。
【００２６】
この構成によっても、昼と夜の場合などに映像の明るさ変化に拘りなくスーパーインポーズされた情報を確認可能となる。
【図面の簡単な説明】
【００２７】
【図１】本発明のカメラ監視システムの実施例を示す構成図。
【図２】本発明のカメラ監視システムの実施例に採用される文字発生装置に記憶された文字情報の一例を示す図。
【図３】本発明のカメラ監視システムの実施例に採用される制御装置にて用いられるテーブルの一例を示す図。
【図４】本発明のカメラ監視システムの実施例の動作を示すフローチャート。
【図５】本発明のカメラ監視システムの実施例により色変化された映像を示す図。
【図６】本発明のカメラ監視システムの実施例に採用される制御装置にて用いられるテーブルの別の例を示す図。
【図７】本発明のカメラ監視システムの実施例の変形例を示す構成図。
【符号の説明】
【００２８】
１  カメラ
２  カメラ制御装置
３、３Ａ  制御装置
４、４Ａ  文字発生装置
５  電波時計装置
６  映像切換装置
７−１〜７−ｍ  モニタ
１０−１〜１０−ｎ、１０Ａ−１〜１０Ａ−ｎ  サブシステム
３１、３１Ａ  文字合成手段
３２、３２Ａ  文字色制御手段
３５、３５Ａ、３５Ｂ  テーブル
【図１】
2006157145.tif 000003
【図３】
2006157145.tif 000004
【図４】
2006157145.tif 000005
【図６】
2006157145.tif 000006
【図７】
2006157145.tif 000007
【図２】
2006157145.tif 000008
【図５】
2006157145.tif 000009